(57)【特許請求の範囲】
【請求項１】
給送されるシートが載置される載置部を有する底板と、
上記底板に対してシートの給送向きと直交する幅方向にスライドし、載置されたシートの上記幅方向の端と当接する当接部を有するサイドガイドと、
上記サイドガイドに取り付けられており、上記当接部よりもシートが載置される側に突出する突出姿勢、及び上記当接部と上記幅方向における同位置または上記当接部よりもシートが載置される側の反対側に退避する退避姿勢に姿勢変化し、上記突出姿勢において上記載置部に載置されたシートの上記給送向きの上流端と当接するリヤガイドと、
上記底板に設けられており、上記サイドガイドのシート載置側へのスライドに伴って、上記リヤガイドを上記退避姿勢から上記突出姿勢に姿勢変化させ、上記サイドガイドのシート載置側と反対側へのスライドに伴って、上記リヤガイドを上記突出姿勢から上記退避姿勢に姿勢変化させる姿勢変化部と、を備えるトレイ。
【請求項２】
上記サイドガイドは、上記リヤガイドを、上記給送向き及び上記幅方向と直交する方向に沿った回動軸を中心として回動自在に支持する支持部を備え、
上記リヤガイドは、回動することによって上記突出姿勢と上記退避姿勢とに姿勢変化する請求項１に記載のトレイ。
【請求項３】
上記退避姿勢の上記リヤガイドは、上記幅方向において、上記リヤガイドの回動先端が上記回動軸よりもシート載置側に位置する請求項２に記載のトレイ。
【請求項４】
上記リヤガイドは、シート載置側に向けて回動することによって上記退避姿勢から上記突出姿勢に姿勢変化し、上記退避姿勢から上記突出姿勢への姿勢変化の際の回動と逆向きに回動することによって上記突出姿勢から上記退避姿勢に姿勢変化するものであり、
上記退避姿勢の上記リヤガイドは、上記リヤガイドの回動先端が上記回動軸よりも上記給送向きの下流側に位置する請求項２または３に記載のトレイ。
【請求項５】
上記リヤガイドを上記突出姿勢に付勢する付勢部材を更に備え、
上記姿勢変化部は、上記載置部と交差し、上記サイドガイドの移動に伴って上記リヤガイドと当接して、当該リヤガイドを上記付勢部材に抗して上記突出姿勢から上記退避姿勢にガイドするガイド部を備える請求項４に記載のトレイ。
【請求項６】
上記リヤガイドは、上記ガイド部に対して摺動する摺動部を備え、
上記ガイド部は、上記幅方向に連続して形成され、上記突出姿勢の上記リヤガイドの上記摺動部を案内する第１ガイド部と、上記第１ガイド部よりも上記給送向きの下流側に形成され上記退避姿勢の上記リヤガイドの上記摺動部を案内する第２ガイド部と、上記第１ガイド部と上記第２ガイド部とを連結し上記リヤガイドを案内する第３ガイド部と、を備える請求項５に記載のトレイ。
【請求項７】
上記姿勢変化部は、上記第１ガイド部に連続し、上記リヤガイドを上記ガイド部から離間し上記退避姿勢へと姿勢変化可能とする離間部を備える請求項６に記載のトレイ。
【請求項８】
上記姿勢変化部は、上記底板に形成されたガイド溝を備え、
上記リヤガイドは、上記ガイド溝に沿って摺動する摺動部を備え、
上記ガイド溝は、上記幅方向に沿って延び上記突出姿勢の上記リヤガイドの上記摺動部を案内する第１ガイド溝と、上記第１ガイド溝よりも上記給送向きの下流側に形成され上記退避姿勢の上記リヤガイドの上記摺動部を案内する第２ガイド溝と、上記第１ガイド溝及び上記第２ガイド溝を連結し上記摺動部を案内する第３ガイド溝とで構成される請求項４に記載のトレイ。
【請求項９】
上記姿勢変化部は、上記サイドガイドの一定量の移動範囲に亘って上記リヤガイドを上記突出姿勢に維持する姿勢維持部を備える請求項１から８のいずれかに記載のトレイ。
【請求項１０】
上記リヤガイドは、上記給送向きに複数設けられており、
上記姿勢変化部は、上記サイドガイドをシート載置側に向けてスライドさせる過程において、上記給送向きの上流側に設けられた上記リヤガイドを上記給送向きの下流側に設けられた上記リヤガイドよりも先に上記退避姿勢から上記突出姿勢に姿勢変化させる請求項１から９のいずれかに記載のトレイ。
【請求項１１】
上記サイドガイドは、上記幅方向に隔てられた一対で形成されており、
上記リヤガイドは、一対の上記サイドガイドのうちの少なくとも一方に設けられている請求項１から１０のいずれかに記載のトレイ。
【請求項１２】
上記リヤガイドは、一対の上記サイドガイドの双方に設けられており、
上記サイドガイドの一方に設けられた上記リヤガイドの上記給送向きの位置は、上記サイドガイドの他方に設けられた上記リヤガイドの上記給送向きの位置と異なる請求項１１に記載のトレイ。
【請求項１３】
上記サイドガイドは、上記サイドガイドをスライドさせるために把持される操作部を備え、
上記操作部よりも上記給送向きの上流側において上記底板と上記サイドガイドと上記リヤガイドとを覆うカバー部を更に備える請求項１から１２のいずれかに記載のトレイ。
【請求項１４】
給送されるシートが載置される底板と、
上記底板に対してシートの給送向きと直交する幅方向における第１位置と、上記幅方向における上記第１位置よりもシートが載置される側である第２位置にスライドし、載置されたシートの上記幅方向の端と当接する当接部を有するサイドガイドと、
上記サイドガイドに取り付けられており、シートの上記給送向きの上流端と当接するリヤガイドと、
上記底板に設けられており、上記サイドガイドの上記第１位置へのスライドに伴って上記リヤガイドと当接し、上記リヤガイドが上記当接部と上記幅方向における同位置または上記当接部よりもシートが載置される側の反対側に退避する退避姿勢に上記リヤガイドを姿勢変化させ、上記サイドガイドの上記第２位置へのスライドに伴って上記リヤガイドと当接し、上記リヤガイドが上記当接部よりもシートが載置される側に突出する突出姿勢に上記リヤガイドを姿勢変化させる姿勢変化部と、を備えるトレイ。
【請求項１５】
請求項１から１４のいずれかに記載のトレイと、
上記トレイが装着される装着部と、
上記装着部に装着された上記トレイの上記底板に載置されたシートを上記給送向きに給送する給送部と、
上記給送部によって給送されたシートに画像を記録する記録部と、を備えた画像記録装置。
【請求項１６】
上記給送向きに給送されたシートに当接して当該シートをガイドするガイド部材を更に備え、
上記トレイは、上記底板における上記給送向きの下流端から立設されており、上記底板に載置されたシートの上記給送向きへの移動を制止するストッパを備え、
上記ガイド部材は、上記トレイが上記装着部に装着された状態において、上記ストッパと上記幅方向の位置が異なっており且つ上記ストッパよりも上記リヤガイド側に位置する請求項１５に記載の画像記録装置。
【発明の詳細な説明】
【技術分野】
【０００１】
本発明は、シートを載置可能なトレイ、及び当該トレイを備えた画像記録装置に関する。
【背景技術】
【０００２】
内部においてシートを搬送可能な装置がある。当該装置の一例としては、複写機やプリンタなどの画像記録装置がある。画像記録装置には、シートを堆積状態で収容可能であって画像記録装置に対して進退動可能なトレイを備えているものがある。トレイには、堆積されたシートの幅方向の側端を揃えるために幅方向にスライドされるサイドガイドが設けられている。また、トレイには、堆積されたシートの搬送方向の後端を揃えるために搬送方向にスライドされるリヤガイドが設けられている。サイドガイドは、シートが搬送方向に沿って搬送されるよう、シートの幅方向の側端をガイドする。リヤガイドは、シートがトレイ内で所定の領域内に収まるよう、シートの後端をガイドする。
【０００３】
従来、サイドガイドとリヤガイドとは個別にスライドされていたため、トレイへのシートの収容に手間がかかっていた。このような問題を解決するためのトレイの一例として、特許文献１には、エンドフェンス３を搬送方向に案内するエンドフェンスガイド溝７を設けておき、サイドフェンス２の横方向の動きにより、エンドフェンス３がエンドフェンスガイド溝７に沿って縦方向に移動して用紙の縦方向の位置を規制する給紙カセット（トレイに相当）が開示されている。当該給紙カセットでは、サイドフェンス２を移動させることにより、エンドフェンス３も移動されるため、用紙の給紙カセットへの収容にかかる手間を低減することができる。
【先行技術文献】
【特許文献】
【０００４】
【特許文献１】特開平８−１１９４６７号公報
【発明の概要】
【発明が解決しようとする課題】
【０００５】
しかしながら、特許文献１に係る給紙カセットにおいては、サイドフェンス２が横方向に移動するときに、エンドフェンス３が縦方向に移動する。つまり、サイドフェンス２とエンドフェンス３との移動方向が異なる。そのため、エンドフェンス３の縦方向の移動が、サイドフェンス２の横方向の移動に対する抵抗力として作用してしまう。その結果、サイドフェンス２を横方向へ移動させるために、大きな力が必要になってしまう。つまり、サイドフェンス２の操作性が悪くなってしまう。
【０００６】
本発明は、上記問題に鑑みてなされたものであり、その目的は、サイドガイドの操作性を良好に維持しつつ、リヤガイドをサイドガイドのスライドに伴って姿勢変化させることによって、シートの収容の手間を低減することができるトレイを提供することにある。
【課題を解決するための手段】
【０００７】
(1)  本発明に係るトレイは、給送されるシートが載置される載置部を有する底板と、上記底板に対してシートの給送向きと直交する幅方向にスライドし、載置されたシートの上記幅方向の端と当接する当接部を有するサイドガイドと、上記サイドガイドに取り付けられており、上記当接部よりもシートが載置される側に突出する突出姿勢、及び上記当接部と上記幅方向における同位置または上記当接部よりもシートが載置される側の反対側に退避する退避姿勢に姿勢変化し、上記突出姿勢において上記載置部に載置されたシートの上記給送向きの上流端と当接するリヤガイドと、上記底板に設けられており、上記サイドガイドのシート載置側へのスライドに伴って、上記リヤガイドを上記退避姿勢から上記突出姿勢に姿勢変化させ、上記サイドガイドのシート載置側と反対側へのスライドに伴って、上記リヤガイドを上記突出姿勢から上記退避姿勢に姿勢変化させる姿勢変化部と、を備える。
【０００８】
本構成においては、リヤガイドはサイドガイドに設けられている。よって、サイドガイドが幅方向にスライドする際、リヤガイドも幅方向にスライドする。これにより、サイドガイドを幅方向にスライドさせる際に必要な力を小さくすることができる。
【０００９】
また、本構成においては、姿勢変化部が、サイドガイドの幅方向のスライドに伴ってリヤガイドを突出姿勢に姿勢変化させる。そして、突出姿勢のリヤガイドは、載置部に載置されたシートの給送向きの上流端を揃えることができる。
【００１０】
(2)  上記サイドガイドは、上記リヤガイドを、上記給送向き及び上記幅方向と直交する方向に沿った回動軸を中心として回動自在に支持する支持部を備える。上記リヤガイドは、回動することによって上記突出姿勢と上記退避姿勢とに姿勢変化する。
【００１１】
リヤガイドを回動可能に構成することにより、サイドガイドのスライドに伴ってリヤガイドが姿勢変化する機構を容易に実現することができる。
【００１２】
(3)  上記退避姿勢の上記リヤガイドは、上記幅方向において、上記リヤガイドの回動先端が上記回動軸よりもシート載置側に位置する。
【００１３】
上記（２）の構成のトレイに多くにおいて、リヤガイドは、退避姿勢から突出姿勢に姿勢変化する際、シート載置側に向けて回動する。そして、本構成によれば、退避姿勢のリヤガイドは、回動先端が回動軸よりもシート載置側、つまり突出姿勢側へ若干寄った状態である。そのため、リヤガイドが退避姿勢から突出姿勢へ姿勢変化する際、リヤガイドの退避姿勢からの動き出しを円滑にすることができる。その結果、サイドガイドを幅方向にスライドさせる際に必要な力を小さくすることができる。
【００１４】
(4)  上記リヤガイドは、シート載置側に向けて回動することによって上記退避姿勢から上記突出姿勢に姿勢変化し、上記退避姿勢から上記突出姿勢への姿勢変化の際の回動と逆向きに回動することによって上記突出姿勢から上記退避姿勢に姿勢変化するものである。上記退避姿勢の上記リヤガイドは、上記リヤガイドの回動先端が上記回動軸よりも上記給送向きの下流側に位置する。
【００１５】
本構成においては、突出姿勢のリヤガイドは、回動先端が給送向きの下流側へ移動するようには回動しない。よって、本構成においては、リヤガイドによってシートの給送向きの上流端の位置を揃える際に、リヤガイドが動かないため、位置を揃えやすくすることができる。また、給送向きの下流側から記録用紙を載置面に載置する際に、リヤガイドが姿勢変化してしまうことが防止される。
【００１６】
(5)  上記リヤガイドを上記突出姿勢に付勢する付勢部材を更に備える。上記姿勢変化部は、上記載置部と交差し、上記サイドガイドの移動に伴って上記リヤガイドと当接して、当該リヤガイドを上記付勢部材に抗して上記突出姿勢から上記退避姿勢にガイドするガイド部を備える。
【００１７】
本構成においては、リヤガイドは、付勢部材に付勢されてガイド部に押しつけられることによって、突出姿勢及び退避姿勢を維持することができる。
【００１８】
(6)  上記リヤガイドは、上記ガイド部に対して摺動する摺動部を備える。上記ガイド部は、上記幅方向に連続して形成され、上記突出姿勢の上記リヤガイドの上記摺動部を案内する第１ガイド部と、上記第１ガイド部よりも上記給送向きの下流側に形成され上記退避姿勢の上記リヤガイドの上記摺動部を案内する第２ガイド部と、上記第１ガイド部と上記第２ガイド部とを連結し上記リヤガイドを案内する第３ガイド部と、を備える。
【００１９】
本構成において、リヤガイドは、付勢部材に付勢されてガイド部に押しつけられながら、第１ガイド部と第２ガイド部との間を案内されることによって、突出姿勢及び退避姿勢に姿勢変化することができる。
【００２０】
(7)  上記姿勢変化部は、上記第１ガイド部に連続し、上記リヤガイドを上記ガイド部から離間し上記退避姿勢へと姿勢変化可能とする離間部を備える。
【００２１】
本構成によれば、突出姿勢のリヤガイドは、付勢部材の付勢力に抗って離間部へ移動することができる。これにより、リヤガイドは、突出姿勢のときと同じ位置において、退避姿勢をとることもできる。その結果、本発明のトレイは、幅方向の長さが同一で給送向きの長さが異なる複数種類のシートを載置することができる。
【００２２】
(8)  上記姿勢変化部は、上記底板に形成されたガイド溝を備える。上記リヤガイドは、上記ガイド溝に沿って摺動する摺動部を備える。上記ガイド溝は、上記幅方向に沿って延び上記突出姿勢の上記リヤガイドの上記摺動部を案内する第１ガイド溝と、上記第１ガイド溝よりも上記給送向きの下流側に形成され上記退避姿勢の上記リヤガイドの上記摺動部を案内する第２ガイド溝と、上記第１ガイド溝及び上記第２ガイド溝を連結し上記摺動部を案内する第３ガイド溝とで構成される。
【００２３】
本構成において、リヤガイドは、ガイド溝に沿って案内されることによって、突出姿勢及び退避姿勢に姿勢変化することができる。
【００２４】
(9)  上記姿勢変化部は、上記サイドガイドの一定量の移動範囲に亘って上記リヤガイドを上記突出姿勢に維持する姿勢維持部を備える。
【００２５】
本構成においては、トレイに載置されたシートの幅方向の長さに公差などによる誤差があった場合であってもリヤガイドを突出姿勢に維持することができる。
【００２６】
(10)  上記リヤガイドは、上記給送向きに複数設けられている。上記姿勢変化部は、上記サイドガイドをシートが載置されている側に向けてスライドさせる過程において、上記給送向きの上流側に設けられた上記リヤガイドを上記給送向きの下流側に設けられた上記リヤガイドよりも先に上記退避姿勢から上記突出姿勢に姿勢変化させる。
【００２７】
本構成のトレイは、複数種類のサイズのシートを載置可能である。
【００２８】
(11)  上記サイドガイドは、上記幅方向に隔てられた一対で形成されている。上記リヤガイドは、一対の上記サイドガイドのうちの少なくとも一方に設けられている。
【００２９】
本構成によれば、トレイは、シートの幅方向の中央での位置決めに対応することができる。
【００３０】
(12)  上記リヤガイドは、一対の上記サイドガイドの双方に設けられている。上記サイドガイドの一方に設けられた上記リヤガイドの上記給送向きの位置は、上記サイドガイドの他方に設けられた上記リヤガイドの上記給送向きの位置と異なる。
【００３１】
複数種類のサイズの各々においてシートの給送向きの長さに大きな違いがない場合、複数のリヤガイドが一方のサイドガイドに配置されると、各リヤガイドが接触してしまうおそれがある。しかし、本構成においては、各リヤガイドが異なるサイドガイドに配置されるため、上記のような各リヤガイドの接触を防止することができる。
【００３２】
(13)  上記サイドガイドは、上記サイドガイドをスライドさせるために把持される操作部を備える。本発明に係るトレイは、上記操作部よりも上記給送向きの上流側において上記底板と上記サイドガイドと上記リヤガイドとを覆うカバー部を更に備える。
【００３３】
本構成においては、操作部がカバー部に覆われていないため、ユーザは操作部を容易に操作できる。これにより、サイドガイドを容易にスライドさせることができる。また、本構成においては、リヤガイドはサイドガイドのスライドに伴って移動されるため、リヤガイドがカバー部に覆われていても、リヤガイドをスライドさせることができる。
【００３４】
(14)  本発明に係るトレイは、給送されるシートが載置される底板と、上記底板に対してシートの給送向きと直交する幅方向における第１位置と、上記幅方向における上記第１位置よりもシートが載置される側である第２位置にスライドし、載置されたシートの上記幅方向の端と当接する当接部を有するサイドガイドと、上記サイドガイドに取り付けられており、シートの上記給送向きの上流端と当接するリヤガイドと、上記底板に設けられており、上記サイドガイドの上記第１位置へのスライドに伴って上記リヤガイドと当接し、上記リヤガイドが上記当接部と上記幅方向における同位置または上記当接部よりもシートが載置される側の反対側に退避する退避姿勢に上記リヤガイドを姿勢変化させ、上記サイドガイドの上記第２位置へのスライドに伴って上記リヤガイドと当接し、上記リヤガイドが上記当接部よりもシートが載置される側に突出する突出姿勢に上記リヤガイドを姿勢変化させる姿勢変化部と、を備えるものであってもよい。
【００３５】
(15)  本発明は、（１）から（１４）のトレイと、上記トレイが装着される装着部と、上記装着部に装着された上記トレイの上記載置部に載置されたシートを上記給送向きに給送する給送部と、上記給送部によって給送されたシートに画像を記録する記録部と、を備えた画像記録装置として捉えることもできる。
【００３６】
(16)  本発明に係るトレイは、上記給送向きに給送されたシートに当接して当該シートをガイドするガイド部材を更に備える。上記トレイは、上記底板における上記給送向きの下流端から立設されており、上記載置部に載置されたシートの上記給送向きへの移動を制止するストッパを備える。上記ガイド部材は、上記トレイが上記装着部に装着された状態において、上記ストッパと上記幅方向の位置が異なっており且つ上記ストッパよりも上記リヤガイド側に位置する。
【００３７】
本構成の場合、載置部に載置されるシートの給送向きの下流端は、ガイド部材によって位置決めされ、当該シートの給送向きの上流端は、リヤガイドによって位置決めされる。しかし、本構成では、ガイド部材が画像記録装置に設けられているため、トレイが画像記録装置の装着部から抜かれた場合、シートの給送向きの下流端を位置決めすることができない。しかし、本構成では、リヤガイドがサイドガイドのスライドに伴って姿勢変化する。そのため、本構成では、サイドガイドの移動によってシートの幅方向の位置決めが行われることによって、当該シートの給送向きの上流端をリヤガイドによって位置決めすることができる。これにより、当該シートの給送向きの下流端も位置決めされる。つまり、本構成のようにガイド部材がトレイではなく画像記録装置に設けられていても、トレイに載置されたシートの位置決めを行うことができる。
【発明の効果】
【００３８】
本発明においては、サイドガイドを幅方向にスライドさせる際に必要な力を小さくすることができる。また、サイドガイドのスライドに伴ってリヤガイドを姿勢変化させることができる。よって、本発明においては、サイドガイドの操作性を良好に維持しつつ、シートの収容の手間を低減することができる。
【図面の簡単な説明】
【００３９】
【図１】図１は、複合機１０の斜視図である。
【図２】図２は、プリンタ部１１の内部構造を模式的に示す縦断面図である。
【図３】図３は、リヤガイド８０が退避姿勢の状態の給紙トレイ２１の斜視図である。
【図４】図４は、リヤガイド８０が突出姿勢の状態の給紙トレイ２１の斜視図である。
【図５】図５は、給紙トレイ２１の平面図であり、（Ａ）には、リヤガイド８０が退避姿勢の状態が示されており、（Ｂ）には、リヤガイド８０が突出姿勢の状態が示されている。
【図６】図６は、変形例１における給紙トレイ２１の主要部分を示す図であり、（Ａ）には、給紙トレイ２１の平面図が示されており、（Ｂ）には、リヤガイド８０の回動軸部分の斜視図が示されており、（Ｃ）には、（Ｂ）のＣ−Ｃ断面図が示されており、（Ｄ）には、リヤガイド８０が突出姿勢の状態の第１面９５周辺の平面図が示されており、（Ｅ）には、（Ｄ）においてリヤガイド８０の突出姿勢から退避姿勢への姿勢変化を説明するための平面図が示されている。
【図７】図７は、変形例２における給紙トレイ２１の主要部分を示す平面図である。
【図８】図８は、変形例３、４における給紙トレイ２１の主要部分を示す図であり、（Ａ）には、変形例３におけるリヤガイド８０Ａ、８０Ｂが退避姿勢の状態の給紙トレイ２１の斜視図が示されており、（Ｂ）には、変形例３におけるリヤガイド８０Ａが突出姿勢でリヤガイド８０Ｂが退避姿勢の状態の給紙トレイ２１の斜視図が示されており、（Ｃ）には、変形例３におけるリヤガイド８０Ａ、８０Ｂが突出姿勢の状態の給紙トレイ２１の斜視図が示されており、（Ｄ）には、変形例４における給紙トレイ２１の平面図が示されている。
【図９】図９は、排紙トレイ２３に覆われた給紙トレイ２１の平面図である。
【図１０】図１０は、給紙トレイ２１及び外側ガイド部材５１を示す図であり、（Ａ）には、斜視図が示されており、（Ｂ）には、縦断面図が示されている。
【発明を実施するための形態】
【００４０】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。また、給紙トレイ２１については、複合機１０に装着された状態（図１の状態）を基準として、上下方向７、前後方向８、及び左右方向９が定義される。
【００４１】
［複合機１０の概略構成］
図１に示されるように、複合機１０は、上部にスキャナ部１２、下部にインクジェット記録方式のプリンタ部１１（本発明の画像記録装置の一例）が設けられている。複合機１０は、ファクシミリ機能及びプリント機能などの各種の機能を有している。なお、プリント機能以外の機能の有無は任意である。
【００４２】
プリンタ部１１の正面側に開口１３が形成されている。プリンタ部１１は、給紙トレイ２１（本発明のトレイの一例）と、記録部４０（図２参照）とを備えている。プリンタ部１１は、開口１３を通じて、給紙トレイ２１を前後方向８に装着及び脱抜可能である。つまり、給紙トレイ２１は、プリンタ部１１の開口１３に装着される。開口１３は、本発明の装着部の一例である。なお、給紙トレイ２１は、プリンタ部１１から中途まで引き出し可能な構成、換言するとプリンタ部１１から完全には脱抜されない構成であってもよい。
【００４３】
図２に示されるように、給紙トレイ２１には、記録用紙５０（本発明のシートの一例）が載置される。給紙トレイ２１に載置された記録用紙５０は、後述する供給部２８（本発明の給送部の一例）によって、給紙トレイ２１から後述する搬送路１８へ供給される。供給された記録用紙５０は、記録部４０によって画像が記録された後に、給紙トレイ２１の上面を構成する排紙トレイ２３（本発明のカバー部の一例）に排出される。排紙トレイ２３は、給紙トレイ２１の上側且つ前側を覆っており、給紙トレイ２１と一体にスライドされる。なお、給紙トレイ２１及び排紙トレイ２３については、後に更に詳述される。
【００４４】
図２に示されるように、プリンタ部１１の開口１３（図１参照）に装着された状態の給紙トレイ２１の上側には、供給部２８が設けられている。供給部２８は、給紙ローラ２５、アーム２６、及び軸２７を備えている。給紙ローラ２５は、アーム２６の先端側に回転可能に設けられている。アーム２６は、プリンタ部１１のフレームに支持された軸２７に回動可能に設けられている。アーム２６は、自重或いはバネ等による弾性力によって給紙トレイ２１側へ回動付勢されている。給紙ローラ２５は、回転されることによって、給紙トレイ２１に載置された記録用紙５０をピックアップして搬送路１８に給送する。なお、給紙トレイ２１がプリンタ部１１に挿抜される際、供給部２８は給紙トレイ２１と当接されて上方に回動する。これより、上記挿抜が、供給部２８に妨げられることなく、実行される。
【００４５】
［搬送路１８］
図２に示されるように、プリンタ部１１には、搬送路１８が形成されている。搬送路１８は、給紙トレイ２１の後端部から上方且つ複合機１０の正面側へ曲がり、記録部４０の下側を通過して排紙トレイ２３へ通じている。
【００４６】
搬送路１８は、記録部４０が配置されていない位置において、外側ガイド部材５１（本発明のガイド部材の一例）と内側ガイド部材５２とによって形成されている。外側ガイド部材５１及び内側ガイド部材５２は、供給部２８によって搬送路１８へ供給された記録用紙５０と当接することによって、記録用紙１８を搬送路１８に沿ってガイドする。
【００４７】
外側ガイド部材５１の下端部、換言すると給紙トレイ２１に最も近い端部は、給紙トレイ２１に載置された記録用紙５０よりも下側まで延設されている。また、外側ガイド部材５１の下端部は、上側の位置である程に後側に位置するように傾斜している。これにより、供給部２８によってピックアップされた記録用紙５０の給送向き（前後方向８における後向き）の下流端は、外側ガイド部材５１の下端部と当接し、当該下端部に沿って搬送路１８へ給送される。
【００４８】
また、図１０に示されるように、外側ガイド部材５１の下端部における前側には、後側へ凹む凹部５３が形成されている。凹部５３は、左右方向９に間隔を空けて少なくとも１つ（本実施形態では２つ）形成されている。給紙トレイ２１がプリンタ部１１の開口１３に装着された状態において、凹部５３には、後述する給紙トレイ２１のストッパ２４が挿入される。凹部５３に挿入されたストッパ２４は、外側ガイド部材５１よりも後側、詳細には少なくとも外側ガイド部材５１の下端部における前面（記録用紙５０に対するガイド面）よりも後側に位置する。換言すると、外側ガイド部材５１は、ストッパ２４よりも前側、つまりリヤガイド８０側に位置する。
【００４９】
つまり、外側ガイド部材５１に形成された凹部５３の部分は、給送向きに給送された記録用紙５０と当接しない。よって、凹部５３の部分は、本発明のガイド部材の一例ではない。以上より、外側ガイド部材５１は、ストッパ２４と左右方向９の位置が異なっている。
【００５０】
なお、外側ガイド部材５１の下端部における前側のストッパ２４に対応する位置には、凹部５３の代わりに切り欠きが設けられていてもよい。
【００５１】
また、搬送路１８は、記録部４０が配置されている位置において、記録部４０とプラテン４３とによって形成されている。プラテン４３は、記録用紙５０を支持する部材である。
【００５２】
［記録部４０］
記録部４０は、記録ヘッド４２を搭載して主走査方向（図２の紙面に垂直な方向）へ往復移動するキャリッジ４１を備えている。記録ヘッド４２には、インクカートリッジ（不図示）からインクが供給される。記録ヘッド４２は、その下面に設けられたノズルから、各インクを微小なインク滴として吐出する。キャリッジ４１が主走査方向へ往復動するとともに、記録ヘッド４２からインク滴が吐出されることにより、プラテン４３に支持された記録用紙５０に画像が記録される。
【００５３】
［搬送ローラ対５９及び排出ローラ対６４］
図２に示されるように、記録部４０よりも後側に搬送ローラ対５９が設けられている。搬送ローラ対５９は、相互に当接している搬送ローラ６０及びピンチローラ６１からなる。搬送ローラ６０は、搬送モータ（不図示）からの駆動力を受けて回転する。これにより、搬送ローラ対５９は、記録用紙５０を挟持して記録部４０へ向けて搬送する。
【００５４】
記録部４０よりも前側に排出ローラ対６４が設けられている。排出ローラ対６４は、相互に当接する排紙ローラ６２及び拍車６３からなる。排紙ローラ６２は、上記搬送モータからの駆動力を受けて回転する。これにより、排出ローラ対６４は、記録用紙５０を挟持して排紙トレイ２３へ向けて搬送する。
【００５５】
［給紙トレイ２１］
図２に示されるように、給紙トレイ２１がプリンタ部１１の開口１３に装着された状態においては、給紙トレイ２１に収容された記録用紙５０が搬送路１８へ供給可能となる。給紙トレイ２１がプリンタ部１１の開口１３から脱抜された状態においては、給紙トレイ２１への記録用紙５０の補充が可能となる。
【００５６】
図３〜図５に示されるように、給紙トレイ２１は、上方が開放され且つ上下方向７の長さが左右方向９及び前後方向８の長さよりも短い直方体の箱状に概ね形成されている。給紙トレイ２１は、記録用紙５０が積層して載置される載置面７６（本発明の載置部の一例）を有する底板７５と、底板７５の後端から立設されたストッパ２４と、底板７５の左右方向９（本発明の幅方向の一例）の両端から立設された側板８１と、底板７５の前端から立設された前板８３と、上述した排紙トレイ２３（図９参照）とを備えている。
【００５７】
側板８１は、前後方向８へ延設されている。前板８３は、左右方向９へ延設されている。ストッパ２４は、左右方向９において相互に間隔を空けて少なくとも１つ（本実施形態では２つ）が配置されている。ストッパ２４の左右方向９の位置は、複合機１０において載置面７６に載置可能に設定されている記録用紙５０の全サイズの載置範囲内の位置である。これにより、給紙トレイ２１がプリンタ部１１の開口１３から脱抜された状態において、ストッパ２４は、載置面７６に載置された記録用紙５０のストッパ２４が設けられた側への移動を制止する。その結果、当該記録用紙５０の給紙トレイ２１からの落下を防止することができる。
【００５８】
また、ストッパ２４の左右方向９の位置は、外側ガイド部材５１に形成された凹部５３の左右方向９と同位置である。これにより、上述したように、ストッパ２４は、給紙トレイ２１がプリンタ部１１の開口１３に装着された状態において、凹部５３に挿入される。
【００５９】
[サイドガイド７７]
図３〜図５に示されるように、底板７５の載置面７６に、一対のサイドガイド７７が左右方向９にスライド可能に取り付けられている。一対のサイドガイド７７は、載置面７６から上側に向かって立設した板状部材であって前後方向８に沿って延設されている。図９に示されるように、一対のサイドガイド７７の前側は、排紙トレイ２３に覆われている。一対のサイドガイド７７は、底板７５の左右方向９の中央から右側と左側に、相互に離間されて設けられている。排紙トレイ２３は、記録済みの記録用紙５０を載置するものであり、載置面７６の一部を覆うものである。
【００６０】
一対のサイドガイド７７は底板７５に対して左右方向９へスライド可能に構成されている。一対のサイドガイド７７は、周知の連動機構によって連結されている。例えば、一対のサイドガイド７７は、ラックギヤ及びピニオンギヤ（不図示）による連動機構によって連結されている。これにより、一方のサイドガイド７７をスライドさせると、他方のサイドガイド７７が連動して相反する方向へスライドする。一対のサイドガイド７７は、図３に示される第１位置と図４に示される第２位置との間で左右方向９にスライドする。第２位置は、第１位置よりも左右方向９における内側、つまり左右方向９における記録用紙５０が載置される側の位置である。
【００６１】
給紙トレイ２１に記録用紙５０が収容された状態で、サイドガイド７７が左右方向９へスライドされると、サイドガイド７７の内側面７８（本発明の当接部の一例）が記録用紙５０の左右端に当接する。また、サイドガイド７７の内側面７８は、給紙時や記録用紙５０の補充時に、記録用紙５０の左右端を案内する。内側面７８は、記録用紙５０と当接できれば、面状でなくてもよい。
【００６２】
なお、本実施形態では、サイドガイド７７が一対である構成について説明するが、サイドガイド７７は一対ではなく一つであってもよい。この場合、記録用紙５０の左右方向９の一方の端はサイドガイド７７に当接され、記録用紙５０の左右方向９の他方の端は側板８１に当接されることにより、記録用紙５０の側端がサイズに応じた位置に規制される。
【００６３】
［操作部１０１］
図３〜図５に示されるように、一対のサイドガイド７７のうち、右側のサイドガイド７７には、操作部１０１が設けられている。操作部１０１は、前後方向８において、排紙トレイ２３よりも後側に設けられている。操作部１０１は、下部においてサイドガイド７７と一体であるが、上部においてサイドガイド７７と分離している。これにより、操作部１０１は、下部を中心として弾性変形によって回動可能である。
【００６４】
操作部１０１の下面（図３において符号５４で示す部分の裏側）には、ロック部（不図示）が設けられている。ロック部は、例えば当該下面から載置面７６に向かって下向きに突設された突起である。ユーザが操作部１０１を把持していない状態においては、ロック部が載置面７６に形成された溝７９と係合される。これにより、サイドガイド７７のスライドはロックされる。一方、ユーザが、サイドガイド７７をスライドさせるために操作部１０１を把持して、操作部１０１の上部を左右方向９の内側に向けて弾性変形により回動させると、ロック部は概ね上向きに移動される。これにより、ロック部は溝７９から離間される。その結果、サイドガイド７７は左右方向９にスライド可能となる。
【００６５】
なお、本実施形態では、操作部１０１が一対のサイドガイド７７のうちの右側のサイドガイド７７に設けられた構成について説明しているが、操作部１０１は左側のサイドガイド７７に設けられていてもよいし、両側のサイドガイド７７に設けられていてもよい。
【００６６】
[リヤガイド８０]
図３〜図５に示されるように、一対のサイドガイド７７のうちの右側のサイドガイド７７には、リヤガイド８０が取り付けられている。詳細には、右側のサイドガイド７７の一部を貫通する開口５５（図４参照）が形成されており、当該開口５５を塞ぐようにリヤガイド８０が配置されている(図３参照）。本実施形態において、リヤガイド８０は、上方を排紙トレイ２３に覆われる位置、つまり給紙トレイ２１の前側において、右側のサイドガイド７７に取り付けられている。しかし、リヤガイド８０は、上方を排紙トレイ２３に覆われない位置において、右側のサイドガイド７７に取り付けられていてもよい。リヤガイド８０の配置は、載置面７６に載置される記録用紙５０のサイズに合わせて配置されるものである。
【００６７】
リヤガイド８０は、概ね薄板形状の部材である。リヤガイド８０は、姿勢変化可能である。本実施形態において、リヤガイド８０は、上下方向７を軸方向として回動可能にサイドガイド７７に取り付けられている。つまり、本実施形態において、リヤガイド８０は、回動することによって姿勢変化する。
【００６８】
以下に詳述する。図３及び図４に示されるように、本実施形態において、右側のサイドガイド７７の開口５５を形成する面のうち、天面と底面の前端部には、穴８４（本発明の支持部の一例）が形成されている。また、リヤガイド８０には、リヤガイド８０の回動軸を構成する軸突起８２が設けられている。軸突起８２の位置は、リヤガイド８０が右側のサイドガイド７７に取り付けられた状態において、リヤガイド８０の上面及び下面の前端部であって、穴８４に対応する位置である。軸突起８２の大きさは、穴８４よりも若干小さい。軸突起８２が穴８４に挿入されることにより、リヤガイド８０がサイドガイド７７に取り付けられる。
【００６９】
これにより、リヤガイド８０は、リヤガイド８０の前端部に位置し且つ上下方向７に沿った回動軸を中心として、図５（Ａ）の矢印７３の向き及び矢印７４の向きに回動する。以上より、右側のサイドガイド７７に形成された穴８４は、リヤガイド８０を、上下方向７に沿った回動軸を中心として回動自在に支持する。
【００７０】
なお、サイドガイド７７がリヤガイド８０を回動自在に支持する構成は、上述した構成に限らない。例えば、サイドガイド７７に突起が形成され、リヤガイド８０における当該突起に対応する位置に穴が形成されることによって、リヤガイド８０がサイドガイド７７に回動自在に支持されていてもよい。この場合、当該突起が本発明の支持部の一例である。
【００７１】
リヤガイド８０は、図３に示される退避姿勢と図４に示される突出姿勢との間で回動する。図３に示されるように、退避姿勢において、リヤガイド８０の回動先端は、後述する突出姿勢よりも右側のサイドガイド７７側に退避する。また、退避姿勢において、リヤガイド８０の内面８５の左右方向９の位置は、右側のサイドガイド７７の内側面７８と同じ位置となる。なお、退避姿勢において、内面８５の左右方向９の位置は、内側面７８よりも右側、つまり記録用紙５０が載置される側の反対側であってもよい。
【００７２】
また、上述したように、リヤガイド８０の回動軸は退避姿勢のリヤガイド８０の前端部に形成されている。つまり、図３に示されるように、本実施形態において、退避姿勢のリヤガイド８０は、回動先端が後側で回動軸が前側である。換言すると、退避姿勢のリヤガイド８０は、回動先端が回動軸よりも記録用紙５０の給送向きの下流側に位置する。なお、リヤガイド８０は、回動先端が回動軸よりも前側に設けられた構成であってもよい。
【００７３】
一方、図４に示されるように、突出姿勢において、リヤガイド８０は、右側のサイドガイド７７よりも左側、つまり記録用紙５０が載置される側に突出する。リヤガイド８０が突出姿勢のとき、リヤガイド８０の内面８５の裏側の外面８６（図５（Ｂ）参照）は、底板７５の載置面７６に載置された記録用紙５０の前端、つまり記録用紙５０の給送向きの上流端と当接する。この突出姿勢におけるリヤガイド８０の外面８６は、給送向きと直交する面状となっている。
【００７４】
本実施形態においては、Ｌ版サイズの記録用紙５０の長辺を給送向きに合わせた状態で載置する場合に、突出姿勢となったリヤガイド８０の外面８６が記録用紙５０を案内可能としている。すなわち、突出姿勢のリヤガイド８０の外面８６から載置面７６の後端までの距離は、Ｌ版サイズの記録用紙５０の長辺の長さに対応した距離となるよう、リヤガイド８０の位置が設定されている。
【００７５】
本実施形態において、リヤガイド８０は、矢印７３（図５（Ａ）参照）の向き、つまり記録用紙５０が載置されている側へ回動することによって、退避姿勢から突出姿勢へ姿勢変化される。また、リヤガイド８０は、矢印７４（図５（Ａ）参照）の向き、つまり矢印７３と逆向きへ回動することによって、突出姿勢から退避姿勢へ姿勢変化される。
【００７６】
また、図３に示されるように、リヤガイド８０の下面には、下側に突出して、後述するガイド溝９９と係合する係合突起８７（本発明の摺動部の一例）が設けられている。
【００７７】
なお、本実施形態では、リヤガイド８０が右側のサイドガイド７７に設けられた構成について説明しているが、リヤガイド８０は左側のサイドガイド７７に設けられていてもよいし、両側のサイドガイド７７に設けられていてもよい。つまり、リヤガイド８０は、一対のサイドガイド７７のうちの少なくとも一方に設けられていればよい。
【００７８】
[ガイド溝９９]
図３〜図５に示されるように、底板７５には、ガイド溝９９（本発明の姿勢変化部の一例であり、本発明のガイド溝の一例）が形成されている。ガイド溝９９は、左右方向９に沿って形成された第１ガイド溝８８と、第１ガイド溝８８よりも右側且つ後側（記録用紙５０の給送向きの下流側）において左右方向９に沿って形成された第２ガイド溝８９と、第１ガイド溝８８の右端と第２ガイド溝８９の左端とを連結する第３ガイド溝９０とで構成されている。第３ガイド溝９０は、左側である程に前側に位置するよう、左右方向９に対して斜め方向に沿って形成されている。第１ガイド溝８８、第２ガイド溝８９、第３ガイド溝９０は、底板７５の載置面７６よりも凹んだ溝が連続した形状となっている。本実施形態においては、第２ガイド溝８９は、左右方向９において、Ｌ版よりも大きいサイズであるはがきサイズの記録用紙５０のサイズに対応した位置にサイドガイド７７があるときの係合突起８７の位置まで延びている。
【００７９】
ガイド溝９９の幅は、リヤガイド８０の下面から突出した係合突起８７よりも若干大きい。ガイド溝９９には、係合突起８７が挿入される。これにより、右側のサイドガイド７７が左右方向９に移動されると、係合突起８７は、ガイド溝９９に沿って摺動する。つまり、ガイド溝９９は、係合突起８７を案内する。そして、係合突起８７がガイド溝９９に沿って摺動することによって、リヤガイド８０は回動する。
【００８０】
以下に詳述する。右側のサイドガイド７７が第１位置（図３参照）に位置している状態において、係合突起８７は第２ガイド溝８９の右端部に挿入されている。このとき、リヤガイド８０は、退避姿勢である。
【００８１】
右側のサイドガイド７７が第１位置から第２位置へ向かう向き、つまり左向きにスライドされると、係合突起８７は第２ガイド溝８９に沿って摺動する。このときも、リヤガイド８０は、退避姿勢を維持する。つまり、第２ガイド溝８９は、退避姿勢のリヤガイド８０の係合突起８７を案内する。したがって、Ｌ版よりも大きいサイズであるはがきサイズと、はがきサイズ以上に大きいサイズの記録用紙５０に対応する位置にサイドガイド７７があると、リヤガイド８０は退避姿勢のままとなっている。
【００８２】
右側のサイドガイド７７が更に左向きへスライドされると、係合突起８７は、第２ガイド溝８９を通過して第３ガイド溝９０に沿って摺動される。上述したように、第３ガイド溝９０は斜め方向に沿って形成された溝である。このため、係合部材８７は、第３ガイド溝９０の前側の側面と当接しながら、第３ガイド溝９０に沿って摺動する。これにより、リヤガイド８０は、矢印７３（図５（Ａ）参照）の向きに回動される。以上より、第３ガイド溝９０は、右側のサイドガイド７７の第２位置へのスライドに伴ってリヤガイド８０の係合突起８７と当接しつつ、当該係合突起８７を案内する。すなわち、サイドガイド７７の位置が、はがきサイズの記録用紙５０に対応した位置よりも左右方向９の中央側に移動すると、リヤガイド８０が徐々に回動し、退避姿勢から突出姿勢に向かって姿勢変化する。
【００８３】
右側のサイドガイド７７が更に左向きへスライドされて第２位置（図４参照）に到達すると、係合突起８７は、第３ガイド溝９０を通過して第１ガイド溝８８に沿って摺動される。このとき、リヤガイド８０は、突出姿勢である。つまり、Ｌ版サイズに対応する位置にサイドガイド７７が移動すると、リヤガイド８０が突出姿勢に姿勢変化するのである。以上より、第１ガイド溝８８は、突出姿勢のリヤガイド８０の係合突起８７を案内する。また、ガイド溝９９は、右側のサイドガイド７７の第１位置から第２位置へのスライド、つまり左側（記録用紙５０が載置されている側）へのスライドに伴って、リヤガイド８０を退避姿勢から突出姿勢に姿勢変化させる。すなわち、サイドガイド７７でＬ版サイズの記録用紙５０の側縁を案内し、リヤガイド８０でＬ版サイズの記録用紙５０の給送向き上流側側縁を案内するように、リヤガイド８０の位置やガイド溝９９の位置が設定されている。なお、底板７５には、不図示のサイズ表記が形成されている。ユーザがサイドガイド７７をサイズ表記に合わせた位置に移動させると、そのサイズの記録用紙５０をサイドガイド７７が案内可能となる。
【００８４】
係合突起８７が第１ガイド溝８８に挿入された状態において、突出姿勢のリヤガイド８０は、退避姿勢側に回動しない。突出姿勢のリヤガイド８０が退避姿勢側、つまり矢印７４（図５（Ａ）参照）の向きに回動しようとした場合、係合部材８７が第１ガイド溝８８の後側の側面と当接されて、それ以上の回動が制止されるからである。つまり、第１ガイド溝８８は、第１ガイド溝８８の左右方向９に沿った長さに相当する右側のサイドガイド７７の移動範囲（本発明の一定量の移動範囲の一例）に亘って、リヤガイド８７を突出姿勢に維持する。すなわち、第１ガイド溝８８は、本発明の姿勢維持部の一例である。
【００８５】
第２位置の右側のサイドガイド７７が第２位置から第１位置へ向かう向き、つまり右向きにスライドされると、係合突起８７は第１ガイド溝８８に沿って摺動する。上述したように、このとき、リヤガイド８０は、突出姿勢を維持する。
【００８６】
右側のサイドガイド７７が更に右向きへスライドされると、係合突起８７は、第１ガイド溝８８を通過して第３ガイド溝９０に沿って摺動される。上述したように、第３ガイド溝９０は斜め方向に沿って形成された溝である。このため、係合部材８７は、第３ガイド溝９０の後側の側面と当接しながら、第３ガイド溝９０に沿って摺動する。これにより、リヤガイド８０は、矢印７４（図５（Ａ）参照）の向きに回動される。以上より、第３ガイド溝９０は、右側のサイドガイド７７の第１位置へのスライドに伴ってリヤガイド８０の係合突起８７と当接しつつ、当該係合突起８７を案内する。
【００８７】
右側のサイドガイド７７が更に右向きへスライドされて第１位置に到達すると、係合突起８７は、第３ガイド溝９０を通過して第２ガイド溝８９に沿って摺動される。このとき、リヤガイド８０は、退避姿勢である。以上より、ガイド溝９９は、右側のサイドガイド７７の第２位置から第１位置へのスライド、つまり右側（記録用紙５０が載置されている側と反対側）へのスライドに伴って、リヤガイド８０を突出姿勢から退避姿勢に姿勢変化させる。
【００８８】
［実施形態の効果］
本実施形態においては、リヤガイド８０はサイドガイド７７に設けられている。よって、サイドガイド７７が左右方向９にスライドする際、リヤガイド８０も左右方向９にスライドする。これにより、サイドガイド７７を左右方向９にスライドさせる際に必要な力を小さくすることができる。また、本実施形態においては、ガイド溝９９が、サイドガイド７７の左右方向９のスライドに伴ってリヤガイド８０を突出姿勢に姿勢変化させる。そして、突出姿勢のリヤガイド８０は、載置面７６に載置された記録用紙５０の前端を揃えることができる。以上より、本実施形態においては、サイドガイド７７の操作性を良好に維持しつつ、記録用紙５０を給紙トレイ２１へ収容する際のリヤガイド８０の位置合わせの手間を低減することができる。すなわち、サイドガイド７７を記録用紙５０に合った位置に移動させるだけで、記録用紙５０に合った位置にてリヤガイド８０が突出姿勢となるため、ユーザがリヤガイド８０を移動させる必要がない。
【００８９】
また、本実施形態においては、リヤガイド８０を回動可能に構成することにより、サイドガイド７７のスライドに伴ってリヤガイド８０が姿勢変化する機構を容易に実現することができる。
【００９０】
また、本実施形態においては、突出姿勢のリヤガイド８０は、回動先端が前側へ移動するようには回動しない。よって、本実施形態においては、リヤガイド８０によって記録用紙５０の前端の位置を揃える際に、リヤガイド８０が動かないため、位置を揃えやすくすることができる。また、後側から記録用紙５０を載置面７６に載置する際に、リヤガイド８０が姿勢変化してしまうことが防止される。
【００９１】
また、本実施形態において、リヤガイド８０は、ガイド溝９９に沿って案内されることによって、突出姿勢及び退避姿勢に姿勢変化することができる。
【００９２】
また、本実施形態においては、給紙トレイ２１に載置された記録用紙５０の左右方向９の長さに公差などによる誤差があった場合であっても、突出姿勢の状態のリヤガイド８０の回動は第１ガイド溝８８に妨げられるため、リヤガイド８０を突出姿勢に維持することができる。
【００９３】
また、本実施形態によれば、サイドガイド７７が一対で形成されているため、給紙トレイ２１は、記録用紙５０の左右方向９の中央での位置決めに対応することができる。
【００９４】
また、本実施形態においては、操作部１０１が排紙トレイ２３に覆われていないため、ユーザは操作部１０１を容易に操作できる。これにより、サイドガイド７７を容易にスライドさせることができる。また、本実施形態においては、リヤガイド８０はサイドガイド７７のスライドに伴って移動されるため、リヤガイド８０が排紙トレイ２３に覆われていても、リヤガイド８０をスライドさせることができる。
【００９５】
また、本実施形態の場合、載置面７６に載置される記録用紙５０の後端は、外側ガイド部材５１によって位置決めされ、当該記録用紙５０の前端は、リヤガイド８０によって位置決めされる。しかし、本実施形態では、外側ガイド部材５１が給紙トレイ２１ではなくプリンタ部１１に設けられているため、給紙トレイ２１がプリンタ部１１の開口１３から抜かれた場合、記録用紙５０の後端を位置決めすることができない。しかし、本実施形態では、リヤガイド８０がサイドガイド７７のスライドに伴って姿勢変化する。そのため、本実施形態では、サイドガイド７７の移動によって記録用紙５０の左右方向９の位置決めが行われることによって、当該記録用紙５０の前端を位置決めすることができる。これにより、当該記録用紙５０の後端も位置決めされる。つまり、本実施形態のように外側ガイド部材５１が給紙トレイ２１ではなくプリンタ部１１に設けられていても、給紙トレイ２１に載置された記録用紙５０の位置決めを行うことができる。
【００９６】
［変形例１］
リヤガイド８０を突出姿勢に付勢するコイルばね（本発明の付勢部材の一例）が設けられていてもよい。図６（Ｂ）、（Ｃ）に示されるように、本実施形態においては、コイルばねとしてトーションばね９１が用いられている。図６（Ｃ）に示されるように、トーションばね９１のコイル部９２は、リヤガイド８０の軸突起８２に巻き付けられている。トーションばね９１の一方のアーム部９３は、リヤガイド８０の外面８６に当接されている。トーションばね９１の他方のアーム部９４は、右側のサイドガイド７７に当接されている。これにより、トーションばね９１は、リヤガイド８０を矢印７３（図５（Ａ）参照）の向き、つまり突出姿勢側に付勢する。
【００９７】
上述の実施形態では、底板７５に形成されたガイド溝９９の幅は、係合突起８７よりも若干大きく、換言すると係合突起８７と略同じ幅に構成されていた。これにより、ガイド溝９９に挿入された係合突起８７、つまりリヤガイド８０が大きくぶれることが防止されていた。しかし、変形例１では、リヤガイド８０がトーションばね９１によって突出姿勢側に付勢されているため、ガイド溝９９の幅にかかわらず、係合突起８７、つまりリヤガイド８０が大きくぶれることはない。よって、変形例１では、載置面７６と交差しており、突出姿勢側に付勢された係合突起８７と当接するガイド部が底板７５に形成されていれば、上述の実施形態のようなガイド溝９９が形成されている必要はない。
【００９８】
上記のガイド部の一例としては、底板７５の載置面７６に立設され且つ上述の実施形態のガイド溝９９と同様に延設されたリブが挙げられる。また、上記のガイド部の他の例としては、上述の実施形態のガイド溝９９よりも幅広であるガイド溝が挙げられる。
【００９９】
変形例１では、図６（Ａ）に示されるように、底板７５に、上述の実施形態のガイド溝９９と同様に延びたガイド溝１００が形成されている。但し、変形例１におけるガイド溝１００は、上述の実施形態のガイド溝９９の第１ガイド溝８８及び第３ガイド溝９０に対応する部分が上述の実施形態のガイド溝９９よりも幅広である。ここで、上述の実施形態の第１ガイド溝８８に対応する部分の前側の面である第１面９５が本発明の第１ガイド部の一例である。また、上述の実施形態の第２ガイド溝８９に対応する部分の前側の面である第２面９６が本発明の第２ガイド部の一例である。また、上述の実施形態の第３ガイド溝９０に対応する部分の前側の面である第３面９７が本発明の第３ガイド部の一例である。また、第１面９５乃至第３面９７が本発明のガイド部の一例である。第１面９５は、左右方向９に連続して形成されている。第２面９６は、第１面９５よりも右側且つ後側において左右方向９に連続して形成されている。第３面９７は、第１面９５の右端と第２面９６の左端とを連結しており、上述の実施形態の第３ガイド溝９０と同様に左右方向９に対して斜め方向に沿って形成されている。第１面９５乃至第３面９７は、係合突起８７を案内できる構成であれば、面状である必要はない。
【０１００】
変形例１においても、上述の実施形態と同様に、係合突起８７がガイド溝１００に沿って摺動することによって、リヤガイド８０は回動する。以下に詳述する。右側のサイドガイド７７が第１位置に位置している状態において、係合突起８７はトーションばね９１に付勢されて第２面９６に当接されている。このとき、リヤガイド８０は、退避姿勢である。
【０１０１】
右側のサイドガイド７７が左向きにスライドされると、係合突起８７は第２面９６と当接しつつ第２面９６に沿って摺動する。このときも、リヤガイド８０は、退避姿勢を維持する。つまり、第２面９６は、退避姿勢のリヤガイド８０の係合突起８７を案内する。
【０１０２】
右側のサイドガイド７７が更に左向きへスライドされると、係合突起８７は、第２面９６を通過して第３面９７に沿って摺動される。このとき、係合突起８７は、トーションばね９１に付勢されて第３面９７に当接されている。つまり、第３面９７は、リヤガイド８０の係合突起８７を案内する。
【０１０３】
右側のサイドガイド７７が更に左向きへスライドされて第２位置に到達すると、係合突起８７は、第３面９７を通過して第１面９５に沿って摺動される。このとき、係合突起８７は、トーションばね９１に付勢されて第１面９５に当接されている。また、このとき、リヤガイド８０は、突出姿勢である。つまり、第１面９５は、突出姿勢のリヤガイド８０の係合突起８７を案内する。
【０１０４】
第２位置の右側のサイドガイド７７が右向きにスライドされると、係合突起８７はトーションばね９１に付勢されて第１面９５と当接しつつ第１面９５に沿って摺動する。上述したように、このとき、リヤガイド８０は、突出姿勢を維持する。
【０１０５】
上述したように、変形例１におけるガイド溝１００は、上述の実施形態のガイド溝９９の第１ガイド溝８８及び第３ガイド溝９０に対応する部分が上述の実施形態のガイド溝９９よりも幅広である。つまり、変形例１において、第１面９５の前側には、図６（Ｄ）、（Ｅ）に示されるように、第１面９５と連続しており、リヤガイド８０の係合突起８７が存在し得る空間９８（本発明の離間部の一例）が形成されている。よって、図６（Ｄ）に示されるように、リヤガイド８０が突出姿勢のときであっても、図６（Ｅ）に示されるように、リヤガイド８０は、複合機１０のユーザによってトーションばね９１の付勢力に抗って回動されることにより、第１面９５から離間して、突出姿勢から退避姿勢に姿勢変化可能である。
【０１０６】
右側のサイドガイド７７が更に右向きへスライドされると、係合突起８７は、第１面９５を通過して、トーションばね９１に付勢されて第３面９７に当接しつつ第３面９７に沿って摺動する。右側のサイドガイド７７が更に右向きへスライドされると、係合突起８７は、第３面９７を通過して、トーションばね９１に付勢されて第２面９６に当接しつつ第２面９６に沿って摺動する。このとき、リヤガイド８０は、退避姿勢である。
【０１０７】
以上より、第１面９５乃至第３面９７は、右側のサイドガイド７７のスライドに伴って、リヤガイド８０の係合突起８７と当接してガイドすることにより、リヤガイド８０を退避姿勢と突出姿勢との間で姿勢変化させる。
【０１０８】
また、係合突起８７がトーションばね９１によって突出姿勢側に付勢されていても、退避姿勢のリヤガイド８０は、付勢による係合突起８７の回動が第２面９６に妨げられることにより、トーションばね９１の付勢力に抗って退避姿勢を維持する。また、突出姿勢のリヤガイド８０は、係合突起８７が第１面９５と当接することにより突出姿勢を維持する。また、リヤガイド８０は、係合突起８７が第３面９７に当接することによりトーションばね９１の付勢力に抗って退避姿勢から突出姿勢或いはその逆に姿勢変化する。つまり、第１面９５乃至第３面９７は、右側のサイドガイド７７の移動に伴って、リヤガイド８０と当接して、当該リヤガイド８０をトーションばね９１に抗して突出姿勢から退避姿勢にガイドする。
【０１０９】
変形例１においては、リヤガイド８０は、トーションばね９１に付勢されて第１面９５乃至第３面９７に押しつけられることによって、突出姿勢及び退避姿勢を維持することができる。
【０１１０】
また、変形例１において、リヤガイド８０は、トーションばね９１に付勢されて第１面９５乃至第３面９７に押しつけられながら、第１面９５と第２面９６との間を案内されることによって、突出姿勢及び退避姿勢に姿勢変化することができる。
【０１１１】
また、変形例１によれば、突出姿勢のリヤガイド８０は、トーションばね９１の付勢力に抗って空間９８へ移動することができる。これにより、リヤガイド８０は、突出姿勢のときと同じ位置において、退避姿勢をとることもできる。その結果、変形例１の給紙トレイ２１は、左右方向９の長さが同一で前後方向８の長さが異なる複数種類の記録用紙５０を載置することができる。
【０１１２】
［変形例２］
上述の実施形態では、図３〜図５に示されるように、退避姿勢のリヤガイド８０は、回動先端と回動軸との左右方向９における位置が同じであった。しかし、図７に示されるように、退避姿勢のリヤガイド８０は、左右方向９において、回動先端８０Ａが回動軸８０Ｂよりも左側、つまり記録用紙５０が載置される側であってもよい。
【０１１３】
上述の実施形態において、リヤガイド８０は、退避姿勢から突出姿勢に姿勢変化する際、矢印７３（図５（Ａ）参照）の向きに回動する。そして、変形例２によれば、退避姿勢のリヤガイド８０は、回動先端８０Ａが回動軸８０Ｂよりも突出姿勢側へ若干寄った状態である。そのため、リヤガイド８０が退避姿勢から突出姿勢へ姿勢変化する際、リヤガイド８０の退避姿勢からの動き出しを円滑にすることができる。その結果、サイドガイド７７を左右方向９にスライドさせる際に必要な力を小さくすることができる。
【０１１４】
［変形例３］
上述の実施形態では、図３〜図５に示されるように、１つのサイドガイド７７には、１つのリヤガイド８０が設けられていた。しかし、１つのサイドガイド７７には、複数のリヤガイド８０が設けられていてもよい。例えば、図８（Ａ）に示されるように、右側のサイドガイド７７に、２つのリヤガイド８０が設けられていてもよい。
【０１１５】
変形例３の場合、右側のサイドガイド７７が第１位置から第２位置にスライドされる過程において、前側に配置されたリヤガイド８０Ａが先に退避姿勢から突出姿勢に姿勢変化する（図８（Ｂ）参照）。そして、その後、後側に配置されたリヤガイド８０Ｂが退避姿勢から突出姿勢に姿勢変化する（図８（Ｃ）参照）。例えば、リヤガイド８０Ａは、突出姿勢においてはがきサイズの記録用紙５０を案内可能な位置に設けられており、リヤガイド８０Ｂは、突出姿勢においてＬ版サイズの記録用紙５０を案内可能な位置に設けられている。この構成によると、サイドガイド７７がはがきサイズに対応する位置にあると、リヤガイド８０Ａが突出し、リヤガイド８０Ｂは、退避姿勢のままとなっている。さらにサイドガイド７７が左側に移動されると、リヤガイド８０Ｂも突出姿勢となる。
【０１１６】
このような動作を実現するために、変形例３では、図８（Ａ）に示されるように、前側に配置されたリヤガイド８０Ａの係合突起８７が挿入されるガイド溝９９の第３ガイド溝９０Ａは、後側に配置されたリヤガイド８０Ｂの係合突起８７が挿入されるガイド溝９９の第３ガイド溝９０Ｂよりも、右側（左右方向９における外側）に形成されている。すなわち、サイドガイド７７がはがきサイズの記録用紙５０に対応した位置にあるときの係合突起８７の位置よりも左側に、リヤガイド８０Ｂ用の第３ガイド溝９０Ｂの右側端が形成されている。
【０１１７】
変形例３の給紙トレイ２１は、複数種類のサイズの記録用紙５０を載置可能である。
【０１１８】
［変形例４］
リヤガイド８０が、一対のサイドガイド７７の双方に設けられている場合、図８（Ｄ）に示されるように、サイドガイド７７の一方に設けられたリヤガイド８０の前後方向８の突出姿勢における位置は、サイドガイド７７の他方に設けられたリヤガイド８０の前後方向８の突出姿勢における位置と異なることが好ましい。図８（Ｄ）では、左側のサイドガイド７７に取り付けられたリヤガイド８０Ｃの前後方向８の位置は、右側のサイドガイド７７において前側に取り付けられたリヤガイド８０Ａと後側に取り付けられたリヤガイド８０Ｂとの間の位置である。なお、サイドガイド７７の一方に設けられたリヤガイド８０の前後方向８の位置と、サイドガイド７７の他方に設けられたリヤガイド８０の前後方向８の位置とは、異なることが好ましいが、当該前後方向８の位置が同じでもよいことは言うまでもない。
【０１１９】
複数種類のサイズの各々において記録用紙５０の前後方向８の長さに大きな違いがない場合、複数のリヤガイド８０が一方のサイドガイド７７に配置されると、各リヤガイド８０が接触してしまうおそれがある。しかし、変形例４においては、近接する各リヤガイド８０を異なるサイドガイド７７に配置することができるため、上記のような各リヤガイド８０の接触を防止することができる。
【０１２０】
［変形例５］
上述の実施形態では、リヤガイド８０は回動することによって姿勢変化したが、リヤガイド８０は回動以外によって姿勢変化してもよい。例えば、リヤガイド８０は、右側のサイドガイド７７の左向きへのスライドに伴って、左斜め後ろにスライドすることによって、退避姿勢から突出姿勢に姿勢変化してもよい。
【符号の説明】
【０１２１】
９：左右方向
１０：複合機
１１：プリンタ部
２１：給紙トレイ
５０：記録用紙
７５：底板
７６：載置面
７７：サイドガイド
７８：内側面
８０：リヤガイド
９９：ガイド溝
【図１】
0005915332.tif 000002
【図２】
0005915332.tif 000003
【図３】
0005915332.tif 000004
【図４】
0005915332.tif 000005
【図５】
0005915332.tif 000006
【図６】
0005915332.tif 000007
【図７】
0005915332.tif 000008
【図８】
0005915332.tif 000009
【図９】
0005915332.tif 000010
【図１０】
0005915332.tif 000011